(57)【要約】【課題】情報配信の信頼性を向上させること。【解決手段】配信システム１００は、監視局１２０と、第１局舎１３１、第２局舎１３２および第３局舎１３３と、を含む。監視局１２０は、エリア１０１〜１１２のそれぞれを対象エリアとして、第１局舎１３１、第２局舎１３２および第３局舎１３３のうち、対象エリアとの間の距離が所定値以上であり、かつ対象エリアとの間の距離または遅延量が最小の局舎を対象エリアへの情報の配信元の局舎に選択する。また、監視局１２０は、第１局舎１３１、第２局舎１３２および第３局舎１３３の中に対象エリアとの間の距離が所定値以上の局舎がない場合は第１局舎１３１、第２局舎１３２および第３局舎１３３のうち対象エリアとの間の距離が最大の局舎を対象エリアへの情報の配信元の局舎に選択する。【選択図】図１
2018074259.tif 000002
【特許請求の範囲】
【請求項１】
複数のエリアのそれぞれに情報を配信可能な複数の局舎と、
前記複数のエリアのそれぞれを対象エリアとして、前記複数の局舎のうち、前記対象エリアとの間の距離が所定値以上であり、かつ前記対象エリアとの間の距離または遅延量が最小の局舎を前記対象エリアへの前記情報の配信元の局舎に選択し、前記複数の局舎の中に前記対象エリアとの間の距離が前記所定値以上の局舎がない場合は前記複数の局舎のうち前記対象エリアとの間の距離が最大の局舎を前記対象エリアへの前記情報の配信元の局舎に選択する制御装置と、
を含むことを特徴とする配信システム。
【請求項２】
前記制御装置は、前記複数の局舎に変化があった場合は、前記複数のエリアのそれぞれを対象エリアとして、変化後の前記複数の局舎の中から前記対象エリアへの前記情報の配信元の局舎を再度選択することを特徴とする請求項１に記載の配信システム。
【請求項３】
複数のエリアのそれぞれに情報を配信可能な複数の局舎を制御する制御装置であって、
前記複数のエリアのそれぞれを対象エリアとして、前記複数の局舎のうち、前記対象エリアとの間の距離が所定値以上であり、かつ前記対象エリアとの間の距離または遅延量が最小の局舎を前記対象エリアへの前記情報の配信元の局舎に選択し、前記複数の局舎の中に前記対象エリアとの間の距離が前記所定値以上の局舎がない場合は前記複数の局舎のうち前記対象エリアとの間の距離が最大の局舎を前記対象エリアへの前記情報の配信元の局舎に選択する選択部と、
前記複数の局舎のそれぞれを対象局舎として、前記対象局舎から、前記複数のエリアのうちの前記選択部によって前記対象局舎が前記情報の配信元に選択されたエリアへ前記情報を配信させる制御を行う制御部と、
を備えることを特徴とする制御装置。
【請求項４】
複数のエリアのそれぞれに情報を配信可能な複数の局舎を制御する制御方法であって、
前記複数のエリアのそれぞれを対象エリアとして、前記複数の局舎のうち、前記対象エリアとの間の距離が所定値以上であり、かつ前記対象エリアとの間の距離または遅延量が最小の局舎を前記対象エリアへの前記情報の配信元の局舎に選択し、前記複数の局舎の中に前記対象エリアとの間の距離が前記所定値以上の局舎がない場合は前記複数の局舎のうち前記対象エリアとの間の距離が最大の局舎を前記対象エリアへの前記情報の配信元の局舎に選択し、
前記複数の局舎のそれぞれを対象局舎として、前記対象局舎から、前記複数のエリアのうちの前記対象局舎を前記情報の配信元に選択したエリアへ前記情報を配信させる制御を行う、
ことを特徴とする制御方法。
【発明の詳細な説明】
【技術分野】
【０００１】
本発明は、配信システム、制御装置および制御方法に関する。
【背景技術】
【０００２】
従来、地震の発生時に配信される緊急地震速報など、各種の情報を特定エリアに同報配信（ブロードキャスト）する技術が知られている。また、ネットワークに接続された各通信機器に情報を送信して配信するために、各通信機器を経由して配信情報を伝達する配信経路を生成する技術が知られている（たとえば、下記特許文献１，２参照。）。
【先行技術文献】
【特許文献】
【０００３】
【特許文献１】特開２００６−２７９８１０号公報
【特許文献２】特開２００８−８６０５２号公報
【発明の概要】
【発明が解決しようとする課題】
【０００４】
しかしながら、上述した従来技術では、たとえば情報配信にかかる時間を短くするために多くの配信局舎を設置すると、災害等である局舎に障害が発生した場合にその周辺エリアに情報を配信できなくなる場合がある。このため、情報配信の信頼性が低くなるという問題がある。
【０００５】
１つの側面では、本発明は、情報配信の信頼性を向上させることができる配信システム、制御装置および制御方法を提供することを目的とする。
【課題を解決するための手段】
【０００６】
上述した課題を解決し、目的を達成するため、本発明の一側面によれば、複数のエリアのそれぞれに情報を配信可能な複数の局舎を制御する場合に、前記複数のエリアのそれぞれを対象エリアとして、前記複数の局舎のうち、前記対象エリアとの間の距離が所定値以上であり、かつ前記対象エリアとの間の距離または遅延量が最小の局舎を前記対象エリアへの前記情報の配信元の局舎に選択し、前記複数の局舎の中に前記対象エリアとの間の距離が前記所定値以上の局舎がない場合は前記複数の局舎のうち前記対象エリアとの間の距離が最大の局舎を前記対象エリアへの前記情報の配信元の局舎に選択する配信システム、制御装置および制御方法が提案される。
【発明の効果】
【０００７】
本発明の一側面によれば、情報配信の信頼性を向上させることができるという効果を奏する。
【図面の簡単な説明】
【０００８】
【図１】図１は、実施の形態にかかる配信システムの一例を示す図である。
【図２】図２は、実施の形態にかかる監視局による処理の一例を示すフローチャートである。
【図３】図３は、実施の形態にかかる監視局が生成する配信距離テーブルおよび配信先の選択の一例を示す図である。
【図４】図４は、実施の形態にかかる監視局が生成する配信先テーブルの一例を示す図である。
【図５】図５は、実施の形態にかかる監視局が生成する配信距離テーブルおよび配信先の選択の他の一例を示す図である。
【図６】図６は、実施の形態にかかる監視局が生成する配信先テーブルの他の一例を示す図である。
【図７】図７は、実施の形態にかかる監視局が局舎の障害発生後に生成する配信距離テーブルおよび配信先の選択の一例を示す図である。
【図８】図８は、実施の形態にかかる監視局が局舎の障害発生後に生成する配信先テーブルの一例を示す図である。
【図９】図９は、実施の形態にかかる監視局の一例を示す図である。
【図１０】図１０は、実施の形態にかかる監視局のハードウェア構成の一例を示す図である。
【図１１】図１１は、実施の形態にかかる監視局による処理の他の一例を示すフローチャートである。
【発明を実施するための形態】
【０００９】
以下に図面を参照して、本発明にかかる配信システム、制御装置および制御方法の実施の形態を詳細に説明する。
【００１０】
（実施の形態）
（実施の形態にかかる配信システム）
図１は、実施の形態にかかる配信システムの一例を示す図である。図１に示すように、実施の形態にかかる配信システム１００は、監視局１２０と、第１局舎１３１と、第２局舎１３２と、第３局舎１３３と、を含む。エリア１０１〜１１２（＜１＞〜＜１２＞）は、配信システム１００による緊急情報の配信先の各エリアである。たとえば、エリア１０１〜１１２は、無線通信が可能な無線基地局によって形成される各セルである。緊急情報は、たとえば、地震、津波、洪水、火山、台風、竜巻、火災等の災害が発生した場合に配信されるその災害の発生に関する情報である。
【００１１】
監視局１２０は、第１局舎１３１、第２局舎１３２および第３局舎１３３によるエリア１０１〜１１２への緊急情報の配信を制御する制御装置である。たとえば、監視局１２０は、エリア１０１〜１１２のうちの第１局舎１３１による緊急情報の配信先エリアを選択し、選択した配信先エリアを示す配信先情報を第１局舎１３１へ送信する。同様に、監視局１２０は、エリア１０１〜１１２のうちの第２局舎１３２および第３局舎１３３による緊急情報の各配信先エリアを選択し、選択した配信先エリアを示す配信先情報をそれぞれ第２局舎１３２および第３局舎１３３へ送信する。
【００１２】
第１局舎１３１、第２局舎１３２および第３局舎１３３のそれぞれは、監視局１２０から受信した配信先情報が示す配信先エリアへ緊急情報を配信するサーバである。たとえば、第１局舎１３１、第２局舎１３２および第３局舎１３３のそれぞれは、受信した配信先情報が示す配信先エリアを形成する無線基地局へ緊急情報を送信することにより、その無線基地局から緊急情報を無線によりブロードキャストさせる。
【００１３】
また、監視局１２０は、配信元局舎と配信先エリアとの間の距離が所定値以上になるように各配信先エリアを選択する。これにより、災害等で局舎に障害が発生した場合に、その局舎が存在するエリアに緊急情報を配信できなくなることを抑制することができる。このような配信先エリアの選択については後述する（たとえば図２参照）。
【００１４】
局舎周辺エリア１４１〜１４３は、それぞれ第１局舎１３１、第２局舎１３２および第３局舎１３３から半径Ｘ［ｋｍ］以内の各エリアである。監視局１２０は、たとえば第１局舎１３１の配信先エリアとして、エリア１０１〜１１２のうちの局舎周辺エリア１４１に含まれないエリアを選択する。図１に示す例では、監視局１２０は第１局舎１３１の配信先エリアとしてエリア１０２，１０３，１０９を選択している。半径Ｘ［ｋｍ］は、たとえばエリア１０１〜１１２の半径（たとえばセル半径）より大きい値とすることができる。これにより、第１局舎１３１の配信先エリアを、第１局舎１３１が存在しないエリアとすることができる。
【００１５】
また、監視局１２０は、第２局舎１３２の配信先エリアとして、エリア１０１〜１１２のうちの局舎周辺エリア１４２に含まれないエリアを選択する。図１に示す例では、監視局１２０は第２局舎１３２の配信先エリアとしてエリア１０１，１０５，１０８，１１０，１１２を選択している。また、監視局１２０は、第３局舎１３３の配信先エリアとして、エリア１０１〜１１２のうちの局舎周辺エリア１４３に含まれないエリアを選択する。図１に示す例では、監視局１２０は第３局舎１３３の配信先エリアとしてエリア１０４，１０６を選択している。
【００１６】
（実施の形態にかかる監視局による処理）
図２は、実施の形態にかかる監視局による処理の一例を示すフローチャートである。実施の形態にかかる監視局１２０は、たとえば図２に示す各ステップを実行する。図２に示す各ステップは、たとえば監視局１２０の起動時に開始される。
【００１７】
まず、監視局１２０は、配信可能局舎ごとに、その局舎とエリア１０１〜１１２（各エリア）との間の各距離を示す配信距離テーブルを生成する（ステップＳ２０１）。配信可能局舎は、たとえば図１に示した監視対象の第１局舎１３１、第２局舎１３２および第３局舎１３３のうち、障害が発生しておらず緊急情報の配信が可能な局舎である。局舎とエリアとの間の距離は、たとえば、局舎とエリアの中心との間の直線距離である。エリアの中心は、たとえばエリア内に緊急情報を無線送信する無線基地局の位置である。
【００１８】
たとえば、監視局１２０は、監視対象の第１局舎１３１、第２局舎１３２および第３局舎１３３のそれぞれについてその局舎とエリア１０１〜１１２との間の各距離を示すテーブルを記憶している。そして、監視局１２０は、このテーブルに対して、監視対象の第１局舎１３１、第２局舎１３２および第３局舎１３３のうちの障害が発生している局舎の情報を削除またはマスクすることによって配信距離テーブルを生成することができる。
【００１９】
つぎに、監視局１２０は、エリア１０１〜１１２のそれぞれ（各エリア）を対象エリアとしてステップＳ２０２〜Ｓ２０４を実行する。すなわち、監視局１２０は、まず、ステップＳ２０１によって生成した配信距離テーブルに基づいて、配信可能局舎のうち、対象エリアとの間の距離が所定の下限値以上の局舎があるか否かを判断する（ステップＳ２０２）。下限値は、たとえば図１に示した局舎周辺エリア１４１〜１４３の半径（Ｘ［ｋｍ］）に相当する値である。
【００２０】
ステップＳ２０２において、配信可能局舎のうち対象エリアとの間の距離が下限値以上の局舎がある場合（ステップＳ２０２：Ｙｅｓ）は、監視局１２０は、ステップＳ２０３へ移行する。すなわち、監視局１２０は、対象エリアとの間の距離が所定の下限値以上の局舎（該局舎）のうちの対象エリアとの間の距離が最小の局舎を、対象エリアへの緊急情報の配信を行う配信元局舎として選択する（ステップＳ２０３）。そして、監視局１２０は、対象エリアについての処理を終了する。
【００２１】
ステップＳ２０２において、配信可能局舎のうち対象エリアとの間の距離が下限値以上の局舎がない場合（ステップＳ２０２：Ｎｏ）は、監視局１２０は、ステップＳ２０４へ移行する。すなわち、監視局１２０は、配信可能局舎のうち、対象エリアとの間の距離が最大の局舎を、対象エリアへの緊急情報の配信を行う配信元局舎として選択し（ステップＳ２０４）、対象エリアについての処理を終了する。
【００２２】
エリア１０１〜１１２のそれぞれ（各エリア）についてステップＳ２０２〜Ｓ２０４を実行することにより、エリア１０１〜１１２のそれぞれについて、そのエリアへの緊急情報の配信を行う１個の配信元局舎を選択することができる。これにより、配信可能局舎ごとに０個以上の配信先エリアを示す配信先テーブル（たとえば図４，図８参照）を生成することができる。
【００２３】
つぎに、監視局１２０は、生成した配信先テーブルに基づいて、配信可能局舎のそれぞれへ、その局舎に対応する配信先エリアを示す配信先エリア情報を送信する（ステップＳ２０５）。つぎに、監視局１２０は、監視対象局舎（第１局舎１３１、第２局舎１３２および第３局舎１３３）における障害の発生、または監視対象局舎における障害からの復旧があったか否かを判断する（ステップＳ２０６）。そして、監視局１２０は、障害の発生または障害からの復旧があるまで待つ（ステップＳ２０６：Ｎｏのループ）。すなわち、監視局１２０は、配信可能局舎に変化があるまで待つ。
【００２４】
ステップＳ２０６において、障害の発生または障害からの復旧があると（ステップＳ２０６：Ｙｅｓ）、監視局１２０は、ステップＳ２０１へ戻り、変化後の配信可能局舎に基づくステップＳ２０１〜Ｓ２０５を再度実行する。
【００２５】
たとえば、地震等の災害が発生すると、その時点で監視局１２０から配信可能局舎へ送信されていた配信先エリア情報に基づいて配信可能局舎からその災害に関する緊急情報（第一報）が即座に配信される。その後に、その災害によって局舎に障害が発生して配信可能局舎が変化していた場合は、監視局１２０は、ステップＳ２０６からステップＳ２０１へ戻り、変化後の配信可能局舎に基づくステップＳ２０１〜Ｓ２０５を再度実行する。
【００２６】
（実施の形態にかかる監視局が生成する配信距離テーブルおよび配信先の選択）
図３は、実施の形態にかかる監視局が生成する配信距離テーブルおよび配信先の選択の一例を示す図である。実施の形態にかかる監視局１２０は、監視対象の第１局舎１３１、第２局舎１３２および第３局舎１３３のいずれにも障害が発生していない場合に、たとえば図３に示す配信距離テーブル３００を生成する。配信距離テーブル３００は、配信可能局舎ごとにその局舎と監視対象の各エリアとの間の各距離を示す情報である。
【００２７】
図３に示す例では、配信距離テーブル３００は、第１局舎１３１、第２局舎１３２および第３局舎１３３のそれぞれについて、エリア１０１〜１１２（＜１＞〜＜１２＞）との間の距離［ｋｍ］を示している。たとえば、第１局舎１３１とエリア１０１との間の距離は１０［ｋｍ］であり、第２局舎１３２とエリア１０１との間の距離は２０［ｋｍ］であり、第３局舎１３３とエリア１０１との間の距離は５０［ｋｍ］である。これらの距離は、たとえば局舎とエリアの中心（無線基地局の位置）との間の直線距離である。
【００２８】
たとえば、監視局１２０の不揮発メモリには、図３に示す配信距離テーブル３００と同様のテーブルが、監視対象局舎ごとに各エリアとの間の各距離を示す情報として記憶されている。そして、監視局１２０は、監視対象局舎のいずれにも障害が発生していない場合には、このテーブルを配信距離テーブル３００として取得する。
【００２９】
また、監視局１２０は、取得した図３に示す配信距離テーブル３００に基づいて、エリア１０１〜１１２のそれぞれについてそのエリアへ緊急情報を配信する配信元局舎を選択する。一例として、上述した下限値を１５［ｋｍ］とする。
【００３０】
この場合に、エリア１０１（＜１＞）について、エリア１０１との間の距離が下限値以上である配信可能局舎は第２局舎１３２および第３局舎１３３であり、これらの局舎の中でエリア１０１との間の距離が最小の局舎は第２局舎１３２である。このため、監視局１２０は、エリア１０１に対応する配信元局舎として第２局舎１３２を選択する。
【００３１】
また、エリア１０２（＜２＞）について、エリア１０２との間の距離が下限値以上である配信可能局舎は第１局舎１３１および第３局舎１３３であり、これらの局舎の中でエリア１０２との間の距離が最小の局舎は第１局舎１３１である。このため、監視局１２０は、エリア１０２に対応する配信元局舎として第１局舎１３１を選択する。
【００３２】
同様に、監視局１２０は、エリア１０３〜１１２についても同様に、それぞれ第１局舎１３１、第２局舎１３２および第３局舎１３３の中から配信元局舎を選択する。図３に示す例では、監視局１２０は、エリア１０３，１０９に対応する配信元局舎として第１局舎１３１を選択する。また、監視局１２０は、エリア１０５，１０７，１０８，１１０〜１１２に対応する配信元局舎として第２局舎１３２を選択する。また、監視局１２０は、エリア１０４，１０６に対応する配信元局舎として第３局舎１３３を選択する。
【００３３】
（実施の形態にかかる監視局が生成する配信先テーブル）
図４は、実施の形態にかかる監視局が生成する配信先テーブルの一例を示す図である。実施の形態にかかる監視局１２０は、図３に示した配信距離テーブル３００に基づいてエリア１０１〜１１２について配信元局舎を選択する場合は、たとえば図４に示す配信先テーブル４００を生成する。配信先テーブル４００は、第１局舎１３１、第２局舎１３２、第３局舎１３３のそれぞれについて、その局舎を配信元局舎として選択したエリアを示す情報である。
【００３４】
たとえば、配信先テーブル４００は、第１局舎１３１を配信元局舎として選択したエリアとしてエリア１０２，１０３，１０９（＜２＞，＜３＞，＜９＞）を示している。また、配信先テーブル４００は、第２局舎１３２を配信元局舎として選択したエリアとしてエリア１０１，１０５，１０７，１０８，１１０，１１１，１１２（＜１＞，＜５＞，＜７＞，＜８＞，＜１０＞，＜１１＞，＜１２＞）を示している。また、配信先テーブル４００は、第３局舎１３３を配信元局舎として選択したエリアとしてエリア１０４，１０６（＜４＞，＜６＞）を示している。
【００３５】
この場合に、監視局１２０は、第１局舎１３１に対して、緊急情報の配信先を示す配信先情報としてエリア１０２，１０３，１０９を示す情報を送信する。また、監視局１２０は、第２局舎１３２に対して、緊急情報の配信先を示す配信先情報としてエリア１０１，１０５，１０７，１０８，１１０，１１１，１１２を示す情報を送信する。また、監視局１２０は、第３局舎１３３に対して、緊急情報の配信先を示す配信先情報としてエリア１０４，１０６を示す情報を送信する。
【００３６】
（実施の形態にかかる監視局が生成する配信距離テーブルおよび配信先の選択の他の例）
図５は、実施の形態にかかる監視局が生成する配信距離テーブルおよび配信先の選択の他の一例を示す図である。図５において、図３に示した部分と同様の部分については同一の符号を付して説明を省略する。実施の形態にかかる監視局１２０は、上述した下限値が３５［ｋｍ］であり、監視対象の第１局舎１３１、第２局舎１３２および第３局舎１３３のいずれにも障害が発生していない場合に、たとえば図５に示す配信距離テーブル３００を生成する。
【００３７】
図５に示す例では、たとえばエリア１０８（＜８＞）について、エリア１０８との間の距離が下限値以上である配信可能局舎は存在せず、エリア１０８との間の距離が最大の配信可能局舎は第３局舎１３３である。このため、監視局１２０は、エリア１０８に対応する配信元局舎として第３局舎１３３を選択する。
【００３８】
また、エリア１０９（＜９＞）について、エリア１０９との間の距離が下限値以上である配信可能局舎は存在せず、エリア１０９との間の距離が最大の配信可能局舎は第３局舎１３３である。このため、監視局１２０は、エリア１０９に対応する配信元局舎として第３局舎１３３を選択する。
【００３９】
また、エリア１１０（＜１０＞）について、エリア１１０との間の距離が下限値以上である配信可能局舎は存在せず、エリア１１０との間の距離が最大の配信可能局舎は第１局舎１３１である。このため、監視局１２０は、エリア１１０に対応する配信元局舎として第１局舎１３１を選択する。
【００４０】
（実施の形態にかかる監視局が生成する配信先テーブルの他の例）
図６は、実施の形態にかかる監視局が生成する配信先テーブルの他の一例を示す図である。図６において、図４に示した部分と同様の部分については同一の符号を付して説明を省略する。実施の形態にかかる監視局１２０は、図５に示した配信距離テーブル３００に基づいてエリア１０１〜１１２について配信元局舎を選択する場合は、たとえば図６に示す配信先テーブル４００を生成する。
【００４１】
たとえば、配信先テーブル４００は、第１局舎１３１を配信元局舎として選択したエリアとしてエリア１０３，１０４，１０５，１０６，１１０，１１２（＜３＞，＜４＞，＜５＞，＜６＞，＜１０＞，＜１２＞）を示している。また、配信先テーブル４００は、第２局舎１３２を配信元局舎として選択したエリアとしてエリア１１１（＜１１＞）を示している。また、配信先テーブル４００は、第３局舎１３３を配信元局舎として選択したエリアとしてエリア１０１，１０２，１０７，１０８，１０９（＜１＞，＜２＞，＜７＞，＜８＞，＜９＞）を示している。
【００４２】
この場合に、監視局１２０は、第１局舎１３１に対して、緊急情報の配信先を示す配信先情報としてエリア１０３，１０４，１０５，１０６，１１０，１１２を示す情報を送信する。また、監視局１２０は、第２局舎１３２に対して、緊急情報の配信先を示す配信先情報としてエリア１１１を示す情報を送信する。また、監視局１２０は、第３局舎１３３に対して、緊急情報の配信先を示す配信先情報としてエリア１０１，１０２，１０７，１０８，１０９を示す情報を送信する。
【００４３】
図５，図６に示したように、監視局１２０は、対象エリアとの間の距離が下限値以上である配信可能局舎が存在しない場合は、対象エリアとの間の距離が最大の配信可能局舎を配信元局舎として選択する。
【００４４】
（実施の形態にかかる監視局が局舎の障害発生後に生成する配信距離テーブルおよび配信先の選択）
図７は、実施の形態にかかる監視局が局舎の障害発生後に生成する配信距離テーブルおよび配信先の選択の一例を示す図である。図７において、図３に示した部分と同様の部分については同一の符号を付して説明を省略する。実施の形態にかかる監視局１２０は、監視対象の第１局舎１３１、第２局舎１３２および第３局舎１３３のうちの第２局舎１３２に障害が発生した場合に、たとえば図７に示す配信距離テーブル３００を生成する。
【００４５】
たとえば、監視局１２０は、図３に示した配信距離テーブル３００において、第２局舎１３２に関する情報をマスク（斜線部）することにより図７に示す配信距離テーブル３００を生成することができる。
【００４６】
また、監視局１２０は、生成した図７に示す配信距離テーブル３００に基づいて、エリア１０１〜１１２のそれぞれについてそのエリアへ緊急情報を配信する配信元局舎を再度選択する。この場合に、第２局舎１３２に関する情報が配信距離テーブル３００から除外されているため、監視局１２０は、たとえばエリア１０１へ緊急情報を配信する配信元局舎として第３局舎１３３を選択する。
【００４７】
同様に、監視局１２０は、エリア１０２〜１１２についても、図７に示す配信距離テーブル３００に基づいてそれぞれ第１局舎１３１および第３局舎１３３の中から配信元局舎を選択する。
【００４８】
（実施の形態にかかる監視局が局舎の障害発生後に生成する配信先テーブル）
図８は、実施の形態にかかる監視局が局舎の障害発生後に生成する配信先テーブルの一例を示す図である。図８において、図４に示した部分と同様の部分については同一の符号を付して説明を省略する。実施の形態にかかる監視局１２０は、図７に示した配信距離テーブル３００に基づいてエリア１０１〜１１２について配信元局舎を選択する場合は、たとえば図８に示す配信先テーブル４００を生成する。
【００４９】
たとえば、配信先テーブル４００は、第１局舎１３１を配信元局舎として選択したエリアとしてエリア１０２，１０３，１０５，１０９〜１１２（＜２＞，＜３＞，＜５＞，＜９＞，＜１０＞，＜１１＞，＜１２＞）を示している。また、配信先テーブル４００は、第３局舎１３３を配信元局舎として選択したエリアとしてエリア１０１，１０４，１０６〜１０８（＜１＞，＜４＞，＜６＞，＜７＞，＜８＞）を示している。また、配信先テーブル４００には、第２局舎１３２を配信元局舎として選択したエリアを示す情報は含まれない。
【００５０】
この場合に、監視局１２０は、第１局舎１３１に対して、緊急情報の配信先を示す配信先情報としてエリア１０２，１０３，１０５，１０９〜１１２を示す情報を送信する。また、監視局１２０は、第２局舎１３２に対しては、緊急情報の配信先を示す配信先情報を送信しない。また、監視局１２０は、第３局舎１３３に対して、緊急情報の配信先を示す配信先情報としてエリア１０１，１０４，１０６〜１０８を示す情報を送信する。
【００５１】
（実施の形態にかかる監視局）
図９は、実施の形態にかかる監視局の一例を示す図である。図９に示すように、実施の形態にかかる監視局１２０は、たとえば、通信部９０１と、死活監視部９０２と、制御部９０３と、配信距離テーブル生成部９０４と、配信距離テーブル記憶部９０５と、を備える。また、監視局１２０は、たとえば、配信先テーブル生成部９０６と、配信先テーブル記憶部９０７と、配信先情報生成部９０８と、を備える。
【００５２】
通信部９０１は、第１局舎１３１、第２局舎１３２および第３局舎１３３を含む他の通信装置との間で通信が可能な通信部である。通信部９０１と他の通信装置との間の通信には、電気通信、無線通信、光通信等の各種の通信を用いることができる。また、通信部９０１と他の通信装置との間の通信は、一例としては、エリア１０１〜１１２を管理する移動体通信事業者のネットワークを用いて行われる。ただし、通信部９０１と他の通信装置との間の通信はこれに限らずインターネット等のネットワークを用いて行われてもよい。
【００５３】
死活監視部９０２は、通信部９０１を介して、第１局舎１３１、第２局舎１３２および第３局舎１３３に障害が発生しているか否か（死活状態）を監視する。そして、死活監視部９０２は、第１局舎１３１、第２局舎１３２および第３局舎１３３の死活状態の監視結果を制御部９０３へ出力する。
【００５４】
たとえば、死活監視部９０２は、通信部９０１を介して第１局舎１３１、第２局舎１３２および第３局舎１３３へ繰り返しｐｉｎｇ等の信号（たとえばｅｃｈｏ  ｒｅｑｕｅｓｔ）を送信する。そして、死活監視部９０２は、送信した信号に対する正常な応答信号（たとえばｅｃｈｏ  ｒｅｐｌｙ）を受信できたか否かによって死活状態を監視する。
【００５５】
または、死活監視部９０２は、第１局舎１３１、第２局舎１３２および第３局舎１３３の死活状態を監視する他の通信装置から、通信部９０１を介して、第１局舎１３１、第２局舎１３２および第３局舎１３３の死活状態の監視結果を受信してもよい。
【００５６】
制御部９０３は、通信部９０１から出力された死活状態の監視結果に基づいて、配信距離テーブル生成部９０４および配信先テーブル生成部９０６による各テーブルの生成を制御する。たとえば、制御部９０３は、通信部９０１から出力された死活状態の監視結果に基づいて、第１局舎１３１、第２局舎１３２および第３局舎１３３のうちの障害が発生していない局舎（すなわち配信可能局舎）を通知する。
【００５７】
配信距離テーブル生成部９０４は、制御部９０３からの制御によって、上述した配信距離テーブル３００を生成する。そして、配信距離テーブル生成部９０４は、生成した配信距離テーブル３００を配信距離テーブル記憶部９０５に記憶させる。たとえば、配信距離テーブル生成部９０４は、監視局１２０の不揮発メモリ（たとえば図１０に示すストレージ１００３）に記憶された、監視対象局舎ごとに各エリアとの間の各距離を示すテーブルを読み出す。そして、配信距離テーブル生成部９０４は、読み出したテーブルの中から、制御部９０３から通知された障害が発生していない局舎に関する情報を抽出することによって配信距離テーブル３００を生成する。
【００５８】
配信先テーブル生成部９０６は、制御部９０３からの制御によって、配信距離テーブル記憶部９０５に記憶された配信距離テーブル３００に基づいて上述した配信先テーブル４００を生成する。そして、配信先テーブル生成部９０６は、生成した配信先テーブル４００を配信先テーブル記憶部９０７に記憶させる。
【００５９】
配信先情報生成部９０８は、配信先テーブル記憶部９０７に記憶された配信先テーブル４００に基づいて、配信可能局舎ごとに配信先情報を生成する。そして、配信先情報生成部９０８は、配信可能局舎ごとに生成した配信先情報を、通信部９０１を介してそれぞれ対応する配信可能局舎へ送信する。配信先情報は、たとえば緊急情報の配信先のエリアの識別子（たとえばセルの識別子）を示す情報である。
【００６０】
各局舎について配信先エリアを選択する選択部は、たとえば通信部９０１、死活監視部９０２、制御部９０３、配信距離テーブル生成部９０４、配信距離テーブル記憶部９０５、配信先テーブル生成部９０６および配信先テーブル記憶部９０７により実現できる。局舎から配信先エリアへ情報を配信させる制御を行う制御部は、たとえば通信部９０１および配信先情報生成部９０８により実現することができる。
【００６１】
（実施の形態にかかる監視局のハードウェア構成）
図１０は、実施の形態にかかる監視局のハードウェア構成の一例を示す図である。図９に示した監視局１２０は、たとえば図１０に示す通信装置１０００により実現することができる。通信装置１０００は、ＣＰＵ１００１（Ｃｅｎｔｒａｌ  Ｐｒｏｃｅｓｓｉｎｇ  Ｕｎｉｔ）と、メインメモリ１００２と、ストレージ１００３と、通信インタフェース１００４と、を備える。ＣＰＵ１００１、メインメモリ１００２、ストレージ１００３および通信インタフェース１００４は、バス１００９によって接続される。
【００６２】
ＣＰＵ１００１は、通信装置１０００の全体の制御を司る。メインメモリ１００２は、ＣＰＵ１００１のワークエリアとして使用される。メインメモリ１００２はたとえばＲＡＭ（Ｒａｎｄｏｍ  Ａｃｃｅｓｓ  Ｍｅｍｏｒｙ：ランダムアクセスメモリ）である。
【００６３】
ストレージ１００３は、たとえば磁気ディスク、光ディスク、フラッシュメモリなどの不揮発メモリである。ストレージ１００３には、通信装置１０００を動作させる各種のプログラムが記憶されている。ストレージ１００３に記憶されたプログラムは、メインメモリ１００２にロードされてＣＰＵ１００１によって実行される。また、上述した監視対象局舎ごとに各エリアとの間の各距離を示すテーブルは、たとえばストレージ１００３に記憶しておくことができる。
【００６４】
通信インタフェース１００４は、たとえば、無線や有線によって通信装置１０００の外部（たとえば監視対象の各局舎）との間で通信を行う通信インタフェースである。通信インタフェース１００４は、ＣＰＵ１００１によって制御される。
【００６５】
図９に示した通信部９０１は、たとえば通信インタフェース１００４により実現することができる。図９に示した死活監視部９０２、制御部９０３、配信距離テーブル生成部９０４、配信先テーブル生成部９０６および配信先情報生成部９０８は、たとえばＣＰＵ１００１により実現することができる。図９に示した配信距離テーブル記憶部９０５および配信先テーブル記憶部９０７は、たとえばメインメモリ１００２またはストレージ１００３により実現することができる。
【００６６】
（実施の形態にかかる監視局による処理の他の一例）
図１１は、実施の形態にかかる監視局による処理の他の一例を示すフローチャートである。実施の形態にかかる監視局１２０は、たとえば図１１に示す各ステップを実行してもよい。図１１に示すステップＳ１１０１，Ｓ１１０２は、図２に示したステップＳ２０１，Ｓ２０２と同様である。
【００６７】
ステップＳ１１０２において、配信可能局舎のうち対象エリアとの間の距離が下限値以上の局舎がある場合（ステップＳ１１０２：Ｙｅｓ）は、監視局１２０は、ステップＳ１１０３へ移行する。すなわち、監視局１２０は、対象エリアとの間の距離が所定の下限値以上の局舎（該局舎）のうちの対象エリアとの間の通信の遅延量が最小の局舎を、対象エリアへの緊急情報の配信を行う配信元局舎として選択する（ステップＳ１１０３）。そして、監視局１２０は、対象エリアについての処理を終了する。
【００６８】
たとえば、監視局１２０は、監視対象局舎ごとに各エリアとの間の通信の遅延量を示す情報を取得する。局舎とエリアとの間の通信の遅延量は、たとえば、局舎がエリアへ向けて緊急情報を送信してから、そのエリア内に緊急情報を無線送信する無線基地局へその緊急情報が受信されるまでの時間（レイテンシ）である。監視局１２０は、このような情報を、ｐｉｎｇ等を用いた自局による測定結果に基づいて取得してもよいし、他の通信装置から受信することによって取得してもよい。そして、監視局１２０は、取得した情報に基づいてステップＳ１１０３の選択を行う。
【００６９】
これにより、対象エリアから地理的に所定量以上離れ、かつ対象エリアへの緊急情報の配置の遅延量が小さい局舎を、対象エリアへ緊急情報を配信する局舎として選択することができる。図１１に示すステップＳ１１０４〜Ｓ１１０６は、図２に示したステップＳ２０４〜Ｓ２０６と同様である。
【００７０】
このように、実施の形態にかかる監視局１２０によれば、複数のエリアのそれぞれを対象エリアとして、複数の局舎のうち、対象エリアとの間の距離が所定値以上であり、かつ対象エリアとの間の距離または遅延量が最小の局舎を情報の配信元の局舎に選択できる。また、複数の局舎の中に対象エリアとの間の距離が所定値以上の局舎がない場合は、複数の局舎のうち対象エリアとの間の距離が最大の局舎を対象エリアへの情報の配信元の局舎に選択できる。
【００７１】
これにより、各エリアに対して距離が所定値以上離れた局舎のうち遅延が少ない局舎から情報の配信を行い、距離が所定値以上離れた局舎がないエリアに対しては距離が最大の局舎から情報の配信を行うことができる。このため、災害等で局舎に障害が発生した場合に、その局舎が存在するエリアへ情報を配信できなくなることを抑制し、情報配信の信頼性を向上させることができる。
【００７２】
また、距離が所定値以上離れた局舎のうち距離または遅延量が最小の局舎を配信元に選択することで、距離が所定値以上離れた局舎のうち情報配信の遅延が小さい局舎を配信元に選択することができる。これにより、情報配信の信頼性を向上させつつ情報配信の遅延の増加を抑制することができる。
【００７３】
また、エリアごとに配信元の局舎が１個ずつ選択されるため、同一のエリアに対して複数の局舎から情報を配信することを回避し、情報を配信するためのネットワークの負荷を低減することができる。
【００７４】
ただし、監視局１２０は、エリアごとに配信元局舎を選択する処理に限らず、たとえば局舎ごとに配信先エリアを選択する処理を行ってもよい。たとえば、監視局１２０は、複数の局舎のそれぞれを対象局舎として、複数のエリアのうち対象局舎との間の距離が所定値以上の各エリアを配信先エリアとして仮選択する。そして、監視局１２０は、仮選択した各配信先エリアのうち、他の局舎の配信先エリアと重複する配信先エリアを除外する処理を行うことにより、複数のエリアのそれぞれへ１個の局舎から情報が配信されるように配信先エリアを選択することができる。
【００７５】
また、監視局１２０は、複数の局舎のそれぞれを対象局舎として、対象局舎から、複数のエリアのうちの対象局舎を配信元に選択したエリアへ情報を配信させる制御を行う。たとえば、監視局１２０は、複数の局舎のそれぞれを対象局舎として、複数のエリアのうちの対象局舎を情報の配信元に選択したエリアを示す情報を対象局舎へ送信することによりこの制御を行う。
【００７６】
また、監視局１２０は、複数の局舎に変化、すなわち配信可能局舎の増減があった場合は、複数のエリアのそれぞれを対象エリアとして、変化後の複数の局舎の中から対象エリアへの情報の配信元の局舎を再度選択する。これにより、局舎に障害が発生したり局舎が障害から復旧したりして配信可能局舎が変化した場合に、変化後の配信可能局舎に応じて各エリアへの配信元エリアを最適化することができる。
【００７７】
また、上述した実施の形態では、配信システム１００において緊急情報が配信される構成について説明したが、配信システム１００において配信される情報は緊急情報に限らず、たとえば局所的なエリアに配信される各種の情報とすることができる。
【００７８】
また、上述した実施の形態では、第１局舎１３１、第２局舎１３２および第３局舎１３３からエリア１０１〜１１２へ緊急情報を配信する構成について説明したが、緊急情報の配信元局舎の数および配信先エリアの数はこれらに限らず任意の数にすることができる。
【００７９】
以上説明したように、配信システム、制御装置および制御方法によれば、情報配信の信頼性を向上させることができる。
【００８０】
たとえば、従来、緊急地震速報などの緊急度が高い緊急情報を配信する場合は配信の遅延時間を短くすることが求められる。これに対して、各エリアに緊急情報を配信する局舎を増やして配信エリアを細分化することにより、配信元局舎から配信先エリアまでの距離を短くすることが考えられる。
【００８１】
しかしながら、たとえば災害等の発生時にある局舎に障害が発生した場合に、その局舎が担当するエリアへの情報配信ができなくなる。たとえば、ある局舎の担当エリアで発生した地震によりその局舎で障害が発生した場合は、緊急地震速報をその局舎の担当エリアに配信することを要するが、その局舎の障害のため緊急地震速報の配信ができない。
【００８２】
また、各局舎から、他局舎が担当するエリアに対して互いに重複して配信を行い、一部の局舎に障害が発生した場合にも他局舎から配信を行うことでサービスを継続することが考えられる。しかしながら、この場合は配信される情報量が数倍に増えるため、ネットワーク負荷が大きくなるという問題がある。また、遠くの局舎からの配信においては遅延時間が大きくなるという問題がある。
【００８３】
これに対して、上述した実施の形態によれば、各局舎からの距離が所定の下限値未満のエリアには配信を行わないことで、局舎に障害が発生しても他局舎から配信の継続が可能になり、信頼性を向上させることができる。また、同一エリアに対して複数の局舎から配信を行わないように各局舎の配信先エリアを選択することで、ネットワークの負荷を低減することができる。
【００８４】
また、これらの条件を満たしつつ、配信時間が可能な限り短くなるように各局舎の配信先エリアを選択することで、配信にかかる時間を短縮することができる。この配信時間は、たとえば局舎とエリアとの間の距離や、局舎とエリアとの間の通信の遅延時間に基づき判断することができる。
【００８５】
上述した各実施の形態に関し、さらに以下の付記を開示する。
【００８６】
（付記１）複数のエリアのそれぞれに情報を配信可能な複数の局舎と、
前記複数のエリアのそれぞれを対象エリアとして、前記複数の局舎のうち、前記対象エリアとの間の距離が所定値以上であり、かつ前記対象エリアとの間の距離または遅延量が最小の局舎を前記対象エリアへの前記情報の配信元の局舎に選択し、前記複数の局舎の中に前記対象エリアとの間の距離が前記所定値以上の局舎がない場合は前記複数の局舎のうち前記対象エリアとの間の距離が最大の局舎を前記対象エリアへの前記情報の配信元の局舎に選択する制御装置と、
を含むことを特徴とする配信システム。
【００８７】
（付記２）前記制御装置は、前記複数の局舎のそれぞれを対象局舎として、前記対象局舎から、前記複数のエリアのうちの前記対象局舎を前記情報の配信元に選択したエリアへ前記情報を配信させる制御を行うことを特徴とする付記１に記載の配信システム。
【００８８】
（付記３）前記制御装置は、前記複数の局舎のそれぞれを対象局舎として、前記複数のエリアのうちの前記対象局舎を前記情報の配信元に選択したエリアを示す情報を前記対象局舎へ送信することにより前記制御を行うことを特徴とする付記２に記載の配信システム。
【００８９】
（付記４）前記制御装置は、前記複数の局舎に変化があった場合は、前記複数のエリアのそれぞれを対象エリアとして、変化後の前記複数の局舎の中から前記対象エリアへの前記情報の配信元の局舎を再度選択することを特徴とする付記１〜３のいずれか一つに記載の配信システム。
【００９０】
（付記５）複数のエリアのそれぞれに情報を配信可能な複数の局舎を制御する制御装置であって、
前記複数のエリアのそれぞれを対象エリアとして、前記複数の局舎のうち、前記対象エリアとの間の距離が所定値以上であり、かつ前記対象エリアとの間の距離または遅延量が最小の局舎を前記対象エリアへの前記情報の配信元の局舎に選択し、前記複数の局舎の中に前記対象エリアとの間の距離が前記所定値以上の局舎がない場合は前記複数の局舎のうち前記対象エリアとの間の距離が最大の局舎を前記対象エリアへの前記情報の配信元の局舎に選択する選択部と、
前記複数の局舎のそれぞれを対象局舎として、前記対象局舎から、前記複数のエリアのうちの前記選択部によって前記対象局舎が前記情報の配信元に選択されたエリアへ前記情報を配信させる制御を行う制御部と、
を備えることを特徴とする制御装置。
【００９１】
（付記６）複数のエリアのそれぞれに情報を配信可能な複数の局舎を制御する制御方法であって、
前記複数のエリアのそれぞれを対象エリアとして、前記複数の局舎のうち、前記対象エリアとの間の距離が所定値以上であり、かつ前記対象エリアとの間の距離または遅延量が最小の局舎を前記対象エリアへの前記情報の配信元の局舎に選択し、前記複数の局舎の中に前記対象エリアとの間の距離が前記所定値以上の局舎がない場合は前記複数の局舎のうち前記対象エリアとの間の距離が最大の局舎を前記対象エリアへの前記情報の配信元の局舎に選択し、
前記複数の局舎のそれぞれを対象局舎として、前記対象局舎から、前記複数のエリアのうちの前記対象局舎を前記情報の配信元に選択したエリアへ前記情報を配信させる制御を行う、
ことを特徴とする制御方法。
【符号の説明】
【００９２】
１００  配信システム
１０１〜１１２  エリア
１２０  監視局
１３１  第１局舎
１３２  第２局舎
１３３  第３局舎
１４１〜１４３  局舎周辺エリア
３００  配信距離テーブル
４００  配信先テーブル
９０１  通信部
９０２  死活監視部
９０３  制御部
９０４  配信距離テーブル生成部
９０５  配信距離テーブル記憶部
９０６  配信先テーブル生成部
９０７  配信先テーブル記憶部
９０８  配信先情報生成部
１０００  通信装置
１００１  ＣＰＵ
１００２  メインメモリ
１００３  ストレージ
１００４  通信インタフェース
１００９  バス
【図１】
2018074259.tif 000003
【図２】
2018074259.tif 000004
【図３】
2018074259.tif 000005
【図４】
2018074259.tif 000006
【図５】
2018074259.tif 000007
【図６】
2018074259.tif 000008
【図７】
2018074259.tif 000009
【図８】
2018074259.tif 000010
【図９】
2018074259.tif 000011
【図１０】
2018074259.tif 000012
【図１１】
2018074259.tif 000013